(57)【要約】【課題】  物品を出し入れでき、袋内部から不用意に開封し難いジッパー付き包装袋を提供する。【解決手段】  第１壁面シート部２１及び第２壁面シート部２２を有し、内部に収納空間Ｓを有する袋本体２と、袋本体２を収納空間Ｓとそれ以外に区画する、互いに咬合可能な第１咬合部５１及び第２咬合部５２を有するジッパー４と、を有し、第１咬合部５１が、第１板部６１を介して第１壁面シート部２１の内面に取り付けられ、第２咬合部５２が、第２板部６２を介して第２壁面シート部２２の内面に取り付けられており、第１板部６１のうち、少なくとも収納空間Ｓとは反対側の端部６１１が第１壁面シート部２１に固着され、第２板部６２のうち、収納空間Ｓとは反対側の端部６２１が前記第２壁面シート部２２に固着され且つ収納空間側の端部６２３が前記第２壁面シート部２２から離反されている。【選択図】  図２
2019064609.tif 000002
【特許請求の範囲】
【請求項１】
対向配置された第１壁面シート部及び第２壁面シート部を有し、内部に収納空間を有する袋本体と、
前記袋本体の内部に設けられ且つ袋本体を前記収納空間とそれ以外に区画するジッパーであって、互いに咬合可能な第１咬合部及び第２咬合部を有するジッパーと、を有し、
前記第１咬合部が、第１板部を介して前記第１壁面シート部の内面に取り付けられ、且つ、前記第２咬合部が、第２板部を介して前記第２壁面シート部の内面に取り付けられており、
前記第１板部のうち、少なくとも前記収納空間とは反対側の端部が前記第１壁面シート部に固着され、
前記第２板部のうち、前記収納空間とは反対側の端部が前記第２壁面シート部に固着され、且つ、前記収納空間側の端部が前記第２壁面シート部から離反されている、ジッパー付き包装袋。
【請求項２】
前記袋本体には、マイクロ波処理時に蒸気を逃がす通蒸部が設けられている、請求項１に記載のジッパー付き包装袋。
【請求項３】
前記袋本体が、密封袋であり、
前記袋本体には、前記ジッパーを基準にして前記収納空間と反対側に開封領域が設けられている、請求項１または２に記載のジッパー付き包装袋。
【発明の詳細な説明】
【技術分野】
【０００１】
本発明は、ジッパーにて開閉できるジッパー付き包装袋に関する。
【背景技術】
【０００２】
従来より、収納空間とそれ以外を区画するジッパーが袋本体に設けられたジッパー付き包装袋が知られている。ジッパーは、代表的には、雌側鈎部と雄側鈎部が咬合することによって袋本体の開口部を開閉するものである。
このようなジッパー付き包装袋は、その収納空間内に食品などの物品を入れてジッパーを閉じ、物品の保管（保存）、運搬などの便に供する袋である。また、必要に応じて、ジッパーの咬合を解除して、物品を取り出すことができる。
【０００３】
ジッパー付き包装袋は、前記のような保管・運搬だけでなく、調理用具としても使用されている。
例えば、電子レンジなどを用いて食品などの物品を加熱するマイクロ波処理を行うための包材として、前記ジッパー付き包装袋が使用されている。
例えば、特許文献１には、軟質フィルムと硬質フィルムで構成された積層フィルムで形成され、電子レンジ内部で加熱する食べ物の密封袋において、袋の上部の開口部を除いた両側面と底面が加熱融着によって密封され、上部の開口部にジッパーを持ち、ジッパーの下部の積層フィルムの内面にホットメルト接着剤層が形成され、接着剤層が塗布された面に溝が形成されているジッパー付き包装袋が開示されている。
前記ジッパー付き包装袋は、マイクロ波処理した際の、物品から生じる蒸気が溝部分から外部に出るので、内部圧力の上昇を抑制できる。
【先行技術文献】
【特許文献】
【０００４】
【特許文献１】特開２０１３−０２３２７３号公報
【発明の概要】
【０００５】
しかしながら、特許文献１のようなジッパー付き包装袋は、マイクロ波処理時に生じる蒸気によってジッパーの咬合が解除されてしまい、袋の開口部から物品が吹き出すおそれがある。
また、ジッパー付き包装袋をマイクロ波処理による調理に使用する以外でも、ジッパーが不用意に解除されることもある。例えば、収納空間内に空気（或いは充填ガス）を含んだ状態で物品を入れたジッパー付き包装袋を保管又は運搬中に、袋本体の外側から荷重（圧力）が加わることがある。袋本体に外圧が加わることにより、収納空間中の空気が昇圧し、それによってジッパーの咬合が解除されるおそれもある。
【発明が解決しようとする課題】
【０００６】
本発明の目的は、内部の収納空間に物品を出し入れでき、内部からの圧力によりジッパーが不用意に解除され難いジッパー付き包装袋を提供することである。
【課題を解決するための手段】
【０００７】
本発明者らは、上記目的の下、例えば、マイクロ波処理時に生じる内圧上昇（或いは、外部からの荷重によって生じる内圧上昇）に耐え得るほどに強い力で咬合できるジッパーを用いることを検討した。
しかしながら、このような強い力で咬合し得るジッパーを用いるとすれば、そのジッパーを人力で容易に解除できない。ジッパーを人力で容易に解除できなければ、袋本体の開口部を容易に開閉できない。
本発明者らは、このようなトレードオフの関係にあるジッパーによる袋開閉容易性とジッパーの耐圧性とを両立するべく、さらに鋭意研究し、本発明を完成した。
【０００８】
本発明のジッパー付き包装袋は、対向配置された第１壁面シート部及び第２壁面シート部を有し、内部に収納空間を有する袋本体と、前記袋本体の内部に設けられ且つ袋本体を前記収納空間とそれ以外に区画するジッパーであって、互いに咬合可能な第１咬合部及び第２咬合部を有するジッパーと、を有し、前記第１咬合部が、第１板部を介して前記第１壁面シート部の内面に取り付けられ、且つ、前記第２咬合部が、第２板部を介して前記第２壁面シート部の内面に取り付けられており、前記第１板部のうち、少なくとも前記収納空間とは反対側の端部が前記第１壁面シート部に固着され、前記第２板部のうち、前記収納空間とは反対側の端部が前記第２壁面シート部に固着され、且つ、前記収納空間側の端部が前記第２壁面シート部から離反されている。
【０００９】
本発明の好ましいジッパー付き包装袋は、前記袋本体には、マイクロ波処理時に蒸気を逃がす通蒸部が設けられている。
本発明の好ましいジッパー付き包装袋は、前記袋本体が、密封袋であり、前記袋本体には、前記ジッパーを基準にして前記収納空間と反対側に開封領域が設けられている。
【発明の効果】
【００１０】
本発明のジッパー付き包装袋は、ジッパーを開閉することによって、袋本体内部の収納空間に物品を出し入れでき、また、袋本体内の内圧が上昇してもジッパーが不用意に解除され難い。
【図面の簡単な説明】
【００１１】
【図１】第１実施形態のジッパー付き包装袋（マイクロ波処理用包装袋）の正面図。
【図２】図１のＩＩ−ＩＩ線で切断した端面図。なお、端面図は、切断面のみを表した図をいう（以下、同じ）。
【図３】図１のＩＩＩ−ＩＩＩ線で切断した端面図。
【図４】図１のＩＶ−ＩＶ線で切断した端面図。
【図５】図１のＶ−Ｖ線で切断した端面図。
【図６】ジッパー付き包装袋（マイクロ波処理用包装袋）の斜視図。
【図７】図２の要部拡大端面図（ジッパー周辺の拡大端面図）。
【図８】袋本体の一部分を切断して開口部を形成した状態の斜視図。
【図９】マイクロ波処理用包装袋のジッパーを解除した状態を示す斜視図。
【図１０】マイクロ波処理用包装袋をマイクロ波処理した状態を示す斜視図。
【図１１】図１０のＸＩ−ＸＩ線で切断した断面図。
【図１２】第２実施形態のジッパー付き包装袋の斜視図。
【図１３】図１２のＸＩＩＩ−ＸＩＩＩ線で切断した端面図。
【図１４】第２実施形態の変形例のジッパー付き包装袋の斜視図。
【図１５】（ａ）は、第３実施形態の第１例のジッパー周辺の拡大端面図、（ｂ）は、同第２例のジッパー周辺の拡大端面図。
【図１６】（ａ）は、第３実施形態のジッパー周辺の拡大端面図、（ｂ）は、同第４例のジッパー周辺の拡大端面図。
【発明を実施するための形態】
【００１２】
以下、本発明の実施形態について図面を参照しながら説明する。
本明細書において、方向を示す用語として、「上」及び「下」を使用するが、「上」は、袋本体を基準にしてその開口部が形成される側を指し、「下」は、上とは反対側（袋本体の開口部とは反対側）を指す。また、用語の頭に、「第１」、「第２」を付す場合があるが、この第１などは、用語を区別するためだけに付加されたものであり、その順序や優劣などの特別な意味を持たない。
本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
各図に示される層、部分及び部材の寸法、縮尺及び形状は、実際のものとは異なっている場合があることに留意されたい。
【００１３】
［第１実施形態］
第１実施形態は、マイクロ波にて収納した物品を加熱するマイクロ波処理用途に好適なジッパー付き包装袋に関する。
以下、かかる用途のジッパー付き包装袋を、特に「マイクロ波処理用包装袋」と称する。
図１乃至図７において、マイクロ波処理用包装袋１Ａは、袋本体２と、通蒸部３と、袋本体２の内部に設けられたジッパー４と、を有する。
袋本体２は、対向配置された第１壁面シート部２１及び第２壁面シート部２２を有し、内部に収納空間Ｓを有する。通蒸部３は、袋本体２の収納空間Ｓを有する部分に設けられている。通蒸部３は、マイクロ波処理時に、収納空間Ｓに収納された物品から生じる蒸気を空間外へ逃がす機構を具備している。
ジッパー４は、袋本体２の内部に設けられており、袋本体２を収納空間Ｓとその収納空間以外に区画する。ジッパー４は、互いに咬合可能な第１咬合部５１及び第２咬合部５２を有する。この第１咬合部５１は、第１板部６１を介して第１壁面シート部２１の内面に取り付けられ、且つ、第２咬合部５２は、第２板部６２を介して前記第２壁面シート部２２の内面に取り付けられている。
本発明においては、第１板部６１のうち、少なくとも前記収納空間Ｓとは反対側の端部が前記第１壁面シート部２１に固着され、第２板部６２のうち、前記収納空間Ｓとは反対側の端部が前記第２壁面シート部２２に固着され、且つ、前記収納空間Ｓ側の端部が、前記第２壁面シート部２２から離反されていることを特徴とする。
【００１４】
具体的には、袋本体２は、内部に収納空間Ｓを有する袋状である。本実施形態では、袋本体２は、収納空間Ｓ及びジッパー４を包み込む、密封袋とされている。
袋本体２は、予め収納空間Ｓ内に物品を封入した状態で密封袋とされていてもよく、或いは、収納空間Ｓが空の状態（物品が入っていない状態）で密封袋とされていてもよい。
袋本体２は、柔軟な第１壁面シート部２１及び第２壁面シート部２２を有し、第１壁面シート部２１と第２壁面シート部２２は、互いの内面同士を向かい合わせて配置されている。さらに、袋本体２は、第１壁面シート部２１の下方部と第２壁面シート部２２の下方部の間に介在された、柔軟な底面シート部２３を有する。底面シート部２３は、２つ折りされて第１及び第２壁面シート部２２の下方部の間に介在されている。
【００１５】
第１壁面シート部２１及び第２壁面シート部２２の正面視形状は、特に限定されず、例えば、正面視略四角形状、略六角形状などの略多角形状；略円形状；略楕円形状；略Ｔ字状；これらの形状が組み合わされた異形状；などが挙げられる。本明細書において「略」は、本発明の属する技術分野において許容される範囲を意味する。略四角などの略多角、略Ｔ字の「略」は、例えば、角部が面取りされている形状、辺の一部が僅かに膨らむ又は窪んでいる形状、辺が若干湾曲している形状などが含まれる。なお、角部が面取りされているとは、角張った部分の角を取り去り、その部分を弧状又はなだらかな鈍角状に形成することをいう。略円及び略楕円の「略」は、例えば、周の一部が僅かに膨らむ又は窪んでいる形状、周の一部が若干直線又は斜線とされた形状などが含まれる。
図示例では、図１のように、第１壁面シート部２１及び第２壁面シート部２２は、いずれも正面視略長方形状（又は略正方形状）であり、同形同大である。
【００１６】
柔軟なシート材から形成された袋本体２の製袋方法は、従来公知な包装袋やパウチ袋などの製袋方法を適用できる。
例えば、本実施形態のように、袋本体２が、第１壁面シート部２１、第２壁面シート部２２及び底面シート部２３から構成されている場合には、第１壁面シート部２１と第２壁面シート部２２を重ね合わせ、その下方部の間に２つ折りにした底面シート部２３を介在させ、それらの周端部（上端部、下端部及び両側端部）を封止することにより、密封された収納空間Ｓを内部に有する袋本体２が形成される。
図示例では、第１壁面シート部２１、第２壁面シート部２２及び底面シート部２３は、それぞれ独立したシート材から構成されており、２つ折りの底面シート部２３を介在させた第１壁面シート部２１と第２壁面シート部２２の周端部を所定幅を固着することにより、密封状の袋本体２が形成されている。なお、固着は、人力で容易に引き剥がすことができないような強度で接合されている状態をいう。
【００１７】
第１壁面シート部２１、第２壁面シート部２２及び底面シート部２３の周端部の固着方法は、特に限定されず、代表的には、熱溶着、或いは、接着剤を用いた接着が挙げられる。簡易にシート材を強固に接着できることから、熱溶着が好ましい。
図１において、シート部が固着されている部分に、描写上、無数のドットを付加している。また、図２などの各端面図において、第１壁面シート部２１などが接している箇所や、シート部とジッパー４が接している箇所は、それらが固着されている部分である。
【００１８】
なお、特に図示しないが、前記第１壁面シート部２１、第２壁面シート部２２及び底面シート部２３は、１枚のシート材で形成されていてもよい。その場合、１枚のシート材を１つの箇所で山折りし且つ山折りの両側で谷折りすることにより（１つのシート材を側面視で略Ｗ字状に折ることにより）、第１壁面シート部２１、第２壁面シート部２２及び底面シート部２３を構成できる。また、前記第１壁面シート部２１、第２壁面シート部２２及び底面シート部２３から選ばれる２つのシート部を１枚のシート材で形成し、残る１つのシート部を別のシート材で形成してもよい（図示せず）。さらに、前記第１壁面シート部２１を、２枚以上のシート材を繋ぎ合わせたシート材で形成してもよく、第２壁面シート部２２及び底面シート部２３についても同様に、前記繋ぎ合わせたシート材で形成してもよい（図示せず）。
【００１９】
第１壁面シート部２１、第２壁面シート部２２及び底面シート部２３を構成するシート材としては、従来公知のものを用いることができる。シート材は、透明又は不透明の何れでもよい。シート材は、収納する物品の種類、コストなどに応じて適宜選定でき、例えば、１層の樹脂層又は２層以上の樹脂層を有する合成樹脂シート、及び、前記合成樹脂シートに、紙、合成紙、発泡樹脂シート、不織布などから選ばれる少なくとも１つが積層された積層体、これらとバリア層の積層体などが挙げられる。第１壁面シート部２１、第２壁面シート部２２及び底面シート部２３は、同じシート材で形成することが好ましいが、異なるシート材を用いて形成してもよい。
なお、第１壁面シート部２１及び第２壁面シート部２２を含む袋本体２には、必要に応じて、所望のデザインが印刷などによって表示される（このようなデザイン表示は図示せず）。
【００２０】
袋本体２を形成するシート材は、好ましくは合成樹脂シートから構成される。前記合成樹脂シートには、耐衝撃性、耐磨耗性、及び耐熱性などの、袋としての基本的な性能を備えることが要求される。また、上述のように、袋本体２は、通常、シート材の熱溶着によって形成されるので、樹脂シートにはヒートシール性も要求される。樹脂シートとしては、ベースフィルム層と、ヒートシール性を付与するシーラント層とを有する複層シートが好適であり、高いガスバリア性や遮光性が要求される場合には、ベースフィルム層とシーラント層との間にバリア層を設けることが好適である。なお、ベースフィルム層そのものにバリア性を付与してもよい。この場合は、バリア層をベースフィルム層として用い、バリア層とシーラント層とを有する複層シートとなる。但し、図２などの各端面図及び断面図においては、便宜上、第１壁面シート部２１、第２壁面シート部２２及び底面シート部２３を１層構造で表している。
【００２１】
ここで、ベースフィルム層、シーラント層、及びガスバリア層の構成材料を例示する。なお、これら各層の積層は、慣用のラミネート法、例えば、共押出しラミネーション、接着剤によるドライラミネーション、熱接着性層を挟んで熱により接着させる熱ラミネーション等により行うことができる。
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）等）、ポリオレフィン（ポリエチレン（ＰＥ）、ポリプロピレン（ＰＰ）等）、ポリアミド（ナイロン−６、ナイロン−６６等）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）等から構成される一層又は二層以上の延伸又は未延伸フィルムが例示できる。
【００２２】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又は未延伸フィルムが例示できる。
ガスバリア層としては、アルミニウム等の金属薄膜、又は塩化ビニリデン（ＰＶＤＣ）、エチレン−ビニルアルコール共重合体（ＥＶＯＨ）等の樹脂シート、或いは任意の合成樹脂シート（例えば、ベースフィルム層であってもよい）に、アルミニウム、酸化アルミニウムやシリカ等の無機酸化物等を蒸着（又はスパッタリング）したフィルムが例示できる。なお、マイクロ波処理することから、ガスバリア層は、非金属材料、例えば、前記塩化ビニリデン等の樹脂シートを用いることが好ましい。
前記シート材には、商品名や原材料・使用上の注意事項等の商品説明、その他各種デザイン等を表示するための印刷層（図示せず）を設けることができる。例えば、印刷層は、グラビア印刷等の公知の方法により、ベースフィルム層の内側の面に形成できる。
【００２３】
ジッパー４は、袋本体２の内部を２つの空間に区切るべく、袋本体２の内面側に設けられている。ジッパー４が設けられた袋本体２の内部は、ジッパー４を基準にして、内部に物品を入れる収納空間Ｓと、それ以外と、に区画される。密封状に形成されている本実施形態の袋本体２にあっては、その内部が、収納空間Ｓと、収納空間以外の空間Ｔと、に区画されている。袋本体２のうち、前記収納空間以外の空間Ｔに対応する領域は、マイクロ波処理用包装袋１Ａの使用時に袋本体２を開封する開封領域２８となる。
ジッパー４の配置は、前記開封領域２８を考慮して適宜設定される。開封し易く且つ開封後に指で摘みやすい摘み部２９を確保できることから、前記収納空間以外の空間Ｔの幅（その空間の上下方向の長さ）が１０ｍｍ〜５０ｍｍとなる位置にジッパー４が配置されていることが好ましい。
なお、前記開封領域２８において袋本体２を破断し易くするために、袋本体２の側端部のうち収納空間以外の空間Ｔに対応する箇所に、切込み部２７を形成しておくことが好ましい。開封後に摘み部２９を残すことができるようにするため、前記切込み部２７は、収納空間以外の空間Ｔの上下方向中途部に対応する箇所に形成されていることが好ましい。
【００２４】
ジッパー４は、袋本体２の上下方向と直交する方向（以下、上下方向と直交する方向を「左右方向」という）に延在されている。もっとも、上下方向に対して鋭角な方向に延在するようにジッパー４が設けられていてもよい（図示せず）。
ジッパー４は、互いに咬合可能な第１咬合部５１及び第２咬合部５２を有する。第１咬合部５１及び第２咬合部５２としては、代表的には、雄雌鈎の咬合構造のものが挙げられる。このような雄雌鈎構造のジッパー４としては、例えば、旭化成ホームプロダクツ（株）製の商品「ジップロック」（登録商標）で採用されている構造などが挙げられる。
第１咬合部５１と第２咬合部５２は、互いに咬合することによって一体化され、また、前記咬合を解除することによって互いに離反可能である。
【００２５】
第１咬合部５１は、全体的に細長い長状であり、例えば、図２及び図７に示すように、基部５１１と前記基部５１１から第２咬合部５２側に向かって突設された雌側鈎部５１２とからなり、袋本体２の左右方向に延在されている。第２咬合部５２は、全体的に細長い長状であり、基部５２１と前記基部５２１から第１咬合部５１側に向かって突設された雄側鈎部５２２とからなり、袋本体２の左右方向に延在されている。なお、図示例とは反対に、第１咬合部５１が雄側鈎部を有し、第２咬合部５２が雌側鈎部を有していてもよい。
【００２６】
第１咬合部５１の基部５１１は、第１咬合部５１を第１壁面シート部２１の内面に取り付けるための第１板部６１に連結されている。第１板部６１の正面視形状は、長帯状であり、第１咬合部５１と同じ長さを有する。通常、第１板部６１は第１咬合部５１と一体的に形成される。
第１板部６１の肉厚は、図７に示すように均一でもよく、特に図示しないが、部分的に異なっていてもよい。部分的に厚みが異なる場合としては、幅方向の端部に向かって薄肉が小さくなっている場合などが挙げられる。なお、幅方向は、第１板部６１の長手方向と直交する方向をいう。第１板部６１の厚み（均一でない場合には、最大厚み）は、特に限定されないが、例えば、０．３ｍｍ〜２ｍｍである。
第１板部６１の幅Ｗ６１は、特に限定されず、適宜設定されるが、余りに小さいと、第１板部６１を第１壁面シート部２１に取り付けることが困難になることから、５ｍｍ以上が好ましく、７ｍｍ以上がより好ましく、１０ｍｍ以上がさらに好ましい。第１板部６１の幅Ｗ６１の上限は特にないが、余りに大きいと、第１板部６１の取り付け作業が煩雑化することから、４０ｍｍ以下が好ましく、３０ｍｍ以下がより好ましい。なお、「幅」は、幅方向における長さをいう（以下同じ）。
【００２７】
第１咬合部５１の基部５１１は、第１板部６１の幅方向の略中央部６１２に一体的に連結されている。
第１咬合部５１を含む第１板部６１は、その幅方向の一方側の端部６１１を収納空間Ｓとは反対側に且つ他方側の端部６１３を収納空間Ｓ側に向けて第１壁面シート部２１の内面に配置されている。なお、幅方向の一方側の端部６１１と他方側の端部６１３は、幅方向の略中央部６１２を基準にして、幅方向で向かい合った端部である。以下、第１板部６１の幅方向の一方側の端部６１１を「第１一方端部」といい、第１板部６１の幅方向の他方側の端部６１３を「第１他方端部」といい、第１板部６１の略中央部６１２を「第１中央部６１２」という。
なお、前記第１一方端部６１１、第１中央部６１２及び第１他方端部６１３は、概念上、第１板部６１の幅方向に順に存在する部分であってそれらの明確な目印はないが、ここでは、第１板部６１を幅方向に３等分し、その３等分の部分を順に第１一方端部６１１、第１中央部６１２及び第１他方端部６１３と観念するものとする。
前記第１板部６１のうち少なくとも第１一方端部６１１の裏面が第１壁面シート部２１の内面に固着されている。
図示例では、第１板部６１は、その裏面全体が第１壁面シート部２１の内面に固着されている。
【００２８】
第２咬合部５２の基部５２１は、第２咬合部５２を第２壁面シート部２２の内面に取り付けるための第２板部６２に連結されている。第２板部６２の正面視形状は、長帯状であり、第２咬合部５２と同じ長さを有する。通常、第２板部６２は第２咬合部５２と一体的に形成される。
第２板部６２の肉厚は、図７に示すように均一でもよく、特に図示しないが、部分的に異なっていてもよい。部分的に厚みが異なる場合としては、幅方向の端部に向かって薄肉が小さくなっている場合などが挙げられる。なお、幅方向は、第２板部６２の長手方向と直交する方向をいう。第２板部６２の厚み（均一でない場合には、最大厚み）は、特に限定されないが、例えば、０．３ｍｍ〜２ｍｍである。
第２板部６２の幅Ｗ６２は、特に限定されず、適宜設定されるが、余りに小さいと、第２板部６２を第２壁面シート部２２に取り付けることが困難になることから、５ｍｍ以上が好ましく、７ｍｍ以上がより好ましく、１０ｍｍ以上がさらに好ましい。第２板部６２の幅の上限は特にないが、余りに大きいと、第２板部６２の取り付け作業が煩雑化することから、４０ｍｍ以下が好ましく、３０ｍｍ以下がより好ましい。
【００２９】
第２咬合部５２の基部５２１は、第２板部６２の幅方向の略中央部６２２に一体的に連結されている。
第２咬合部５２を含む第２板部６２は、その幅方向の一方側の端部６２１を収納空間Ｓとは反対側に且つ他方側の端部６２３を収納空間Ｓ側に向けて第２壁面シート部２２の内面に配置されている。なお、幅方向の一方側の端部６２１と他方側の端部６２３は、幅方向の略中央部６２２を基準にして、幅方向で向かい合った端部である。以下、第２板部６２の幅方向の一方側の端部６２１を「第２一方端部６２１」といい、第２板部６２の幅方向の他方側の端部６２３を「第２他方端部６２３」といい、第２板部の略中央部６２２を「第２中央部６２２」という。
なお、前記第２一方端部６２１、第２中央部６２２及び第２他方端部６２３は、概念上、第２板部６２の幅方向に順に存在する部分であってそれらの明確な目印はないが、ここでは、第２板部６２を幅方向に３等分し、その３等分の部分を順に第２一方端部６２１、第２中央部６２２及び第２他方端部６２３と観念するものとする。
【００３０】
前記第２板部６２の第２一方端部６２１の裏面が第２壁面シート部２２の内面に固着されている。他方、第２板部６２の第２他方端部６２３は第２壁面シート部２２の内面に対して離反されている。
具体的には、一方側の端縁６２ａを含む第２一方端部６２１は、所定幅、第２壁面シート部２２の内面に固着されている。
また、他方側の端縁６２ｂを含む第２他方端部６２３は、第２壁面シート部２２の内面に対して離反され、さらに、前記第２他方端部６２３に連続する第２板部６２の第２中央部６２２（本実施形態では、ここには第２咬合部５２が連結されている）も第２壁面シート部２２の内面に対して離反されている。つまり、第２板部６２の第２他方端部６２３及び第２中央部６２２は、第２壁面シート部２２の内面に固着されておらず、両者は自由に離れ得る状態である。第２板部６２のうち第２壁面シート部２２に対して固着されていない部分の幅ＷＡ（非固着幅ＷＡ）は、特に限定されないが、余りに小さいと、マイクロ波処理時に生じる蒸気が第２板部６２の裏面と第２壁面シート部２２の内面の間に十分に入り込んで作用し難くなるおそれがある。かかる観点から、第２板部６２の非固着幅ＷＡは、３ｍｍ以上が好ましく、５ｍｍ以上がより好ましい。第２板部６２の非固着幅ＷＡの上限は、第２板部６２の幅Ｗ６２−固着幅ＷＢの最小値、である。前記固着幅ＷＢについては、後述する。
【００３１】
前記第２一方端部６２１は、全体的に第２壁面シート部２２に固着されていてもよく、一方側の端縁６２ａを含む第２一方端部６２１の一部分が第２壁面シート部２２に固着されていてもよい。図示例では、第２一方端部６２１のうち一方側の端縁６２ａを含む一部分が固着されている。第２板部６２の第２壁面シート部２２に対して固着された部分の幅ＷＢ（固着幅ＷＢ）は、特に限定されず、適宜設定できるが、余りに小さいと、第２板部６２が第２壁面シート部２２から不用意に離脱するおそれがある。かかる観点から、第２板部６２の固着幅ＷＢは、２ｍｍ以上が好ましく、３ｍｍ以上がより好ましい。前記第２板部６２の固着幅ＷＢの上限は、第２板部６２の幅Ｗ６２−非固着幅ＷＡの最小値、である。
【００３２】
第１板部６１及び第２板部６２の第１壁面シート部２１及び第２壁面シート部２２に対する固着方法は、特に限定されず、それぞれ独立して、熱溶着、接着剤を用いた接着などが挙げられる。
第１咬合部５１及び第１板部６１、並びに、第２咬合部５２及び第２板部６２は、柔軟性を有し、また、ジッパー４として機能する程度の機械的強度を有する。第１板部６１及び第２板部６２は、それぞれ対応する第１壁面シート部２１及び第２壁面シート部２２よりも曲がり難いものであることが好ましい。第１板部６１及び第２板部６２の厚みや形成材料などを適宜設定することにより、第１壁面シート部２１及び第２壁面シート部２２よりも曲げ強度の高い第１板部６１及び第２板部６２を構成できる。
第１咬合部５１及び第１板部６１、並びに、第２咬合部５２及び第２板部６２は、従来公知の合成樹脂、エラストマーなどを用いて形成される。
【００３３】
通蒸部３は、マイクロ波処理時に、収納空間Ｓに収納された物品から生じる蒸気を空間外へ逃がす機構を有する。このような機構を有するものであれば、従来公知の通蒸部を本発明の袋本体２に適用できる。
図１乃至図５を参照して、例えば、図示例の通蒸部３は、合掌状に重ねられた２つの延出シート部３１，３２の間から蒸気を逃がすものであり、第２壁面シート部２２に設けられている。
具体的には、第２壁面シート部２２の一部分から２つの延出シート部３１，３２（第１延出シート部３１及び第２延出シート部３２）が延出されている。この第１延出シート部３１及び第２延出シート部３２は、例えば、第２壁面シート部２２の左右方向の長さと同じ長さを有する長帯状である。
第２壁面シート部２２の面内の一部分が左右方向に分離されており、その分離された第２壁面シート部２２の一方側の端部と第１延出シート部３１の一方側の端部が連結され、第２壁面シート部２２の他方側の端部と第２延出シート部３２の一方側の端部が連結されている。第１延出シート部３１の内面と第２延出シート部３２の内面は、離反しつつ重ねられており、第１延出シート部３１及び第２延出シート部３２のそれぞれの他方側の端部は自由端部とされている。
第１延出シート部３１と第２延出シート部３２の間は、袋本体２の収納空間Ｓに連通した隙間Ｕを有しており、その隙間Ｕから第１延出シート部３１及び第２延出シート部３２の他方側の端部にまで通気可能な通路が形成され得る。
そして、第１延出シート部３１の内面と第２延出シート部３２の内面は、接着幅が小さくなった部分３３を有して左右方向に全体的に接着されている。
この接着幅が小さくなった部分３３は、マイクロ波処理時の内圧によって剥離する程度の接着幅及び／又は接着強度で接着されている。
なお、図示例では、第２壁面シート部２２が２枚のシート材で構成されており、それぞれのシート材を折り曲げて第１延出シート部３１及び第２延出シート部３２を形成すると共に、第２壁面シート部２２を形成している。
【００３４】
上記マイクロ波処理用包装袋１Ａは、例えば、次のようにして使用される。
図８に示すように、袋本体２の開封領域２８を開封し、収納空間以外の空間Ｔに通じる開口部８を形成する。切込み部２７が形成されている場合には、切込み部２７を利用することにより、袋本体２の開封領域２８を容易に切断して前記開口部８を形成できる。切断によって生じる屑片２４は廃棄される。
ジッパー４の上方の向かい合った一対の摘み部２９を指で摘み、外側に引き出すことにより、図９に示すように、第１咬合部５１と第２咬合部５２の咬合を解除して収納空間Ｓを開放できる。
本発明のマイクロ波処理用包装袋１Ａは、第１板部６１の少なくとも第１一方端部６１１（開封領域２８とは反対側の端部）が第１壁面シート部２１に固着され且つ第２板部６２の第２一方端部６２１（開封領域２８とは反対側の端部）が第２壁面シート部２２に固着されているので、従来のジッパー付き袋と同様に、容易にジッパー４を解除できる。
【００３５】
（ａ）収納空間に予め物品が封入されている場合
収納空間Ｓに予め物品が封入されている場合には、例えば、開口部８から収納空間Ｓに別の物品を入れる。具体的な使用例では、収納空間Ｓに予め調味液が入れられており、開封後に収納空間Ｓに食品具材を入れるなどが挙げられる。
また、予め封入されていた物品を取り出し、何らかの加工を行い、それを再び収納空間Ｓ内に入れ直す又は別の物品を加えて入れ直す。具体的な使用例では、収納空間Ｓに予め真空包装された食品が入れられており、それを取り出し且つ開封した後、その食品を収納空間Ｓ内に入れ直す又はさらに別の食品を加えて入れ直すなどが挙げられる。
（ｂ）収納空間に予め物品が封入されていない場合
収納空間Ｓに予め物品が封入されていない場合には、例えば、開口部８から物品を入れる。具体的な使用例では、開封後に収納空間Ｓに食品具材を入れるなどが挙げられる。
【００３６】
収納空間Ｓに物品を入れた後、ジッパー４を閉じることにより、収納空間Ｓを密封できる。
そのマイクロ波処理用包装袋１Ａを、電子レンジなどのマイクロ波発生装置に入れ、マイクロ波を照射する。マイクロ波処理により、食品などの物品が昇温し、蒸気が発生する。蒸気発生によって徐々に内圧が上がっていくと、図１０及び図１１に示すように、柔軟な袋本体２が膨らんでいく。
本発明のマイクロ波処理用包装袋１Ａは、第２板部６２の第２他方端部６２３（収納空間Ｓ側の端部）が第２壁面シート部２２から離反されているので、袋本体２の膨張に伴い、第２壁面シート部２２の内面が第２板部６２の第２他方端部６２３の裏面から離れると共に第２壁面シート部２２の内面と第２板部６２の第２他方端部６２３の裏面の間に蒸気が進入する。特に、第２板部６２が第２壁面シート部２２よりも曲がり難い場合には、袋本体２の膨張時に第２板部６２が第２壁面シート部２２に追従し難く、前記のように第２壁面シート部２２の内面と第２板部６２の第２他方端部６２３の裏面の間に蒸気が確実に進入するようになる。蒸気の進入により、図１１に示すように、第２壁面シート部２２と第２板部６２の第２他方端部６２３の間の距離が拡がっていき、第２板部６２が第１板部６１側に押しつけられるようになる。このため、マイクロ波処理時に、第１咬合部５１及び第２咬合部５２の咬合が解除されることがない。
また、蒸気は、収納空間Ｓから第１延出シート部３１及び第２延出シート部３２の隙間Ｕ（通路）に入り込んでいき、両シート部３１，３２の接着幅が小さくなった部分３３に集中し、その部分を剥離する。このため、図１０及び図１１に示すように、通蒸部３から蒸気が排出され、マイクロ波処理用包装袋１Ａの内圧が過度に上がりすぎることを防止できる。
マイクロ波による加熱が完了した後には、ジッパー４を解除して温められた物品を容易に取り出すことができる。
【００３７】
［第１実施形態の変形例］
上記マイクロ波処理用包装袋１Ａにおいては、通蒸部３として２枚のシート部を合掌状に重ねて接着したものを例示したが、本発明のマイクロ波処理用包装袋１Ａには、従来公知のマイクロ波処理用包装袋に適用されている通蒸部を用いることができる。
本発明には、例えば、特開２０１７−１０５５０３号などに開示されているような２枚のシート部の上端部に通蒸機構が設けられている形態、特開２０１７−０７４９５２号などに開示されているような底面シート部２３に通蒸機構が設けられている形態、特開２０１６−２１０４８４号などに開示されているような袋本体２の内部に通蒸機構が設けられている形態、特開２０１５−１９３４１９号などに開示されているような袋本体２に通蒸ラベルを貼り付ける形態など、様々な形態を適用できる。
【００３８】
また、上記マイクロ波処理用包装袋１Ａの袋本体２は、密封袋とされているが、本発明のマイクロ波処理用包装袋１Ａはジッパー４にて袋本体２の収納空間Ｓを密封できるので、上述の開封領域が予め開封されているもの（予め開口部が形成されているもの）でもよい。予め開口部が形成されているマイクロ波処理包装袋１Ａは、図８の屑片２４を除いたようなものである。
【００３９】
以下、本発明の第２実施形態を説明するが、その説明に於いては、主として上記実施形態と異なる構成及び効果について説明し、同様の構成などについては、用語又は符号をそのまま援用し、その構成の説明を省略する場合がある（第３実施形態以降も同様である）。
【００４０】
［第２実施形態］
第２実施形態は、マイクロ波加熱用途以外の用途に主として使用されるジッパー付き包装袋に関する。
例えば、図１２及び図１３に示すように、ジッパー付き包装袋１Ｂは、対向配置された第１壁面シート部２１及び第２壁面シート部２２を有する袋本体２であって、内部に収納空間Ｓを有する袋本体２と、袋本体２の内部に設けられ且つ袋本体２を収納空間Ｓとそれ以外に区画するジッパー４であって、互いに咬合可能な第１咬合部５１及び第２咬合部５２を有するジッパーと、を有する。第１咬合部５１は、第１板部６１を介して第１壁面シート部２１の内面に取り付けられ、且つ、第２咬合部５２は、第２板部６２を介して前記第２壁面シート部２２の内面に取り付けられている。前記第１板部６１のうち、少なくとも前記収納空間Ｓとは反対側の端部が前記第１壁面シート部２１に固着され、第２板部６２のうち、前記収納空間Ｓとは反対側の端部が前記第２壁面シート部２２に固着され、且つ、前記収納空間Ｓ側の端部が、前記第２壁面シート部２２から離反されている。
また、図示例では、袋本体２は、開口部を有する開放袋構造とされており、ジッパー４の咬合によってその開口部８は閉塞されている。
第２実施形態のジッパー付き包装袋１Ｂは、通蒸部３を有さない点で上記第１実施形態と異なっており、通蒸部以外の具体的な構成及び効果は、第１実施形態と同様である。
【００４１】
本実施形態のジッパー付き包装袋１Ｂは、例えば、調理用の混合袋として使用できる。具体的には、調理者が、ジッパー４を解除して開口部８を開放し、そこから具材と調味料を収納空間Ｓに入れ、ジッパー４を咬合して袋本体２の開口部８を閉じる。調理者が、袋本体２の外側から叩いたり或いは揉んだりすることにより、具材と調味料を混ぜ合わせることができる。このような用法では、通常、収納空間Ｓに空気が混入しており、混合時に断続的に内圧が上昇する場合があるが、本発明のジッパー付き包装袋１Ｂによれば、ジッパー４が不用意に解除されることを防止できる。なお、収納空間Ｓに空気などの気体が実質的に入っていない場合でも、収納空間Ｓに調味液などの液体が充填されている場合にも同様に内圧上昇が生じ得るが、このような場合でもジッパー４が不用意に解除されることを防止できる。
ジッパー付き包装袋１Ｂは、調理用の混合袋としての使用法以外にも、例えば、収納空間Ｓに物品を入れて冷蔵庫で保存する、旅行先に持って行くなどの各種の用法がある。
【００４２】
上記ジッパー付き包装袋１Ｂの袋本体２は、開口部８を有する形態とされているが、例えば、図１４に示すように、袋本体２が密封袋とされていてもよい。
一般に、密封袋とされているジッパー付き包装袋の収納空間内に物品を入れた商品を生産した場合、その商品の保管、運搬中に、外圧によって内圧上昇が生じてジッパーが解除されても、物品が外部に出ることはない。しかしながら、物品（特に物品が液体である場合）が収納空間以外の空間に入り込むので、その商品を購入する消費者に不衛生な印象を与えるおそれがある。本発明のジッパー付き包装袋１を用いれば、そのようなことを防止できる。
【００４３】
［第３実施形態］
第３実施形態は、第１壁面シート部２１及び第２壁面シート部２２に対する第１板部６１及び第２板部６２の様々な固着形態に関する。
上記第１及び第２実施形態では、第１板部６１の裏面全体が第１壁面シート部２１の内面に固着されているが、例えば、図１５（ａ）に示すように、第１板部６１の第１一方端部６１１の全体又は一方側の端縁６１ａを含む一部分が第１壁面シート部２１に固着され、第１板部６１の第１他方端部６１３及び第１中央部６１２が第１壁面シート部２１に対して離反されていてもよい。また、特に図示しないが、第１板部６１の第１一方端部６１１の全体又は一方側の端縁６１ａを含む一部分及び第１他方端部６１３の全体又は他方側の端縁６１ｂを含む一部分が第１壁面シート部２１に固着され且つ第１中央部６１２が第１壁面シート部２１に対して離反されていてもよい。
【００４４】
さらに、上記第１及び第２実施形態では、第２板部６２の一方側の端縁６２ａを含む第２一方端部６２１の一部分が第２壁面シート部２２に固着されているが、例えば、図１５（ｂ）に示すように、第２一方端部６２１及び第２中央部６２２の全体、並びに、第２中央部６２２に連続する第２他方端部６２３の一部分が第２壁面シート部２２に固着され、且つ、他方側の端縁６２ｂを含む第２他方端部６２３の一部分が第２壁面シート部２２に対して離反されていてもよい。また、特に図示しないが、第２一方端部６２１の全体及び第２中央部６２２の全体又は一部分が第２壁面シート部２２に固着され、且つ、第２他方端部６２３の全体が第２壁面シート部２２に対して離反されていてもよい。
【００４５】
また、上記第１及び第２実施形態では、第１咬合部５１及び第２咬合部５２は、第１板部６１及び第２板部６２の第２中央部６２２に連結されているが、例えば、図１６（ａ）に示すように、第１咬合部５１が第１板部６１の第１一方端部６１１又はその端部寄りに連結され、且つ、第２咬合部５２が第２板部６２の第２一方端部６２１又はその端部寄りに連結されていてもよい。また、図１６（ｂ）に示すように、第１咬合部５１が第１板部６１の第１他方端部６１３又はその端部寄りに連結され、且つ、第２咬合部５２が第２板部６２の第２他方端部６２３又はその端部寄りに連結されていてもよい。
【００４６】
［その他］
上記第１及び第２実施形態では、袋本体２は、第１壁面シート部２１、第２壁面シート部２２及び底面シート部２３の３面部で構成されているが、例えば、第１壁面シート部２１及び第２壁面シート部２２の２面部で構成されていてもよく、或いは、第１壁面シート部２１、第２壁面シート部２２及び１つ又は２つの側面シート部（いわゆる側面ガゼット）の３面又は４面部で構成されていてもよく、或いは、第１壁面シート部２１、第２壁面シート部２２、１つ又は２つの側面シート部及び底面シート部２３の４面又は５面部から構成されていてもよい（図示せず）。
その他、上記各実施形態から選ばれる２以上の構成を適宜組み合わせてもよく、或いは、上記各実施形態から選ばれる１つ又は２つ以上の構成を、それ以外の実施形態に置換してもよい。
【符号の説明】
【００４７】
１Ａ，１Ｂ  ジッパー付き包装袋
２  袋本体
２８  開封領域
３  通蒸部
４  ジッパー
５１  第１咬合部
５２  第２咬合部
６１  第１板部
６１１  第１板部の、収納空間とは反対側の端部
６２  第２板部
６２１  第２板部の、収納空間とは反対側の端部
６２３  第２板部の、収納空間側の端部
Ｓ  収納空間
【図１】
2019064609.tif 000003
【図２】
2019064609.tif 000004
【図３】
2019064609.tif 000005
【図４】
2019064609.tif 000006
【図５】
2019064609.tif 000007
【図６】
2019064609.tif 000008
【図７】
2019064609.tif 000009
【図８】
2019064609.tif 000010
【図９】
2019064609.tif 000011
【図１０】
2019064609.tif 000012
【図１１】
2019064609.tif 000013
【図１２】
2019064609.tif 000014
【図１３】
2019064609.tif 000015
【図１４】
2019064609.tif 000016
【図１５】
2019064609.tif 000017
【図１６】
2019064609.tif 000018